(57)【要約】      （修正有）【課題】広いバルコニーが設けられた場合であっても採光性を損なわず、十分な開放感を持つリビングバルコニーを提供する。【解決手段】リビングバルコニーＬは、バルコニー３と、梁４と、を備える。バルコニー３は、居住室の外側面の一部に隣接して配設される。梁４は、バルコニー３を支持する。また、梁４は、バルコニー３の一端であって外側面の一部とバルコニーとの境界部分３１と、バルコニー３の他端であってバルコニー３が外部に突き出した先端部分３２との間に設けられている。【選択図】図２
0003226516.tif 000002
【実用新案登録請求の範囲】
【請求項１】
居住室の外側面の一部に隣接して配設されるバルコニーと、
前記バルコニーを支持する梁と、を備え、
前記梁は、前記バルコニーの一端であって前記外側面の一部と前記バルコニーとの境界部分と、前記バルコニーの他端であって前記バルコニーが外部に突き出した先端部分との間に設けられていることを特徴とするリビングバルコニー。
【請求項２】
前記梁は、前記バルコニーの一端と他端をつなぐ両側縁に接し、前記両側縁と直交する方向に設けられていることを特徴とする請求項１に記載のリビングバルコニー。
【請求項３】
前記外側面の他の部分と側縁の一方に隣接する位置には上下階に貫通して設けられた吹き抜け部が設けられており、一方の前記側縁の一部であって、前記吹き抜け部を挟んで隣の住戸と対向する位置に配置される前記側縁は、不透明な素材で構成されていることを特徴とする請求項１または請求項２に記載のリビングバルコニー。
【請求項４】
前記不透明な素材で構成されている前記側縁は、前記境界部分から前記梁と連結して設けられている前記上下階を貫通して設けられる柱までの間に設けられていることを特徴とする請求項３に記載のリビングバルコニー。
【請求項５】
前記バルコニーの床面は、前記居住室の床面と同程度の高さとなるように構成され、前記居住室の床面から連続して設けられていることを特徴とする請求項１ないし請求項４のいずれかに記載のリビングバルコニー。
【請求項６】
前記境界部分には、折りたたみ自在な仕切戸が設けられていることを特徴とする請求項１ないし請求項５のいずれかに記載のリビングバルコニー。
【請求項７】
前記バルコニーには、前記居住室に起居する居住者が使用することができるスロップシンクが備えられていることを特徴とする請求項１ないし請求項６のいずれかに記載のリビングバルコニー。
【請求項８】
前記バルコニーには、燈火類が設けられていることを特徴とする請求項１ないし請求項７のいずれかに記載のリビングバルコニー。
【請求項９】
前記バルコニーには、防水コンセントが設けられていることを特徴とする請求項１ないし請求項８のいずれかに記載のリビングバルコニー。
【考案の詳細な説明】
【技術分野】
【０００１】
本考案の実施の形態は、リビングバルコニーに関する。
【背景技術】
【０００２】
例えばアパートやマンションといった集合住宅の場合、各住戸にはベランダやバルコニー（以下、これらをまとめて「バルコニー」と表す）が設けられていることも多い。バルコニーは一般的に居住室の外側面の一部に隣接して設けられていることから、布団等を干すといった使い方の他、その広さにもよるが、居住者が趣味を行うため、或いは、例えば、リビングといった居住室と同じようにくつろぐための空間として使用される。
【０００３】
近年上記のようなバルコニーの使用の仕方に着目して、容積に算入される部分を抑制しつつも、バルコニーが一定の広さを確保できるような構造を採用する集合住宅も現れている。
【０００４】
具体的には、一般的なマンションのバルコニーは、壁芯から手すり芯までの奥行きが概ね２ｍである。そしてこの２ｍ、及びマンション外からの２ｍは、居住室を除き建築基準法の容積対象面積には算入されない。そこで、側面が開放されたバルコニーの間口を４ｍとすると、バルコニーとして４ｍ×４ｍ角の面積（約１０畳分）を確保することができ、十分な広さを備えるバルコニーを構築することができる。また併せて、バルコニーの床面を居住室の床面と同程度の高さとなるように構築することも行われている。
【０００５】
このような構造を採用することで、大きな開放感が得られる。また、バルコニーが居住室と同程度の高さにあることも相まって、居住者は居住室とバルコニーとの間を自由に行き来できることから、居住室とバルコニーの一体感も感じられる。
【０００６】
さらに、住戸によっては、居住室とバルコニーとを隔てる戸を、引き戸ではなく、例えば折り戸とすることで居住室とバルコニーとの間であって、特にその中央部に戸が残らない構造を採用している。そのため、さらにバルコニーと居住室との連続性が得られ、特に居住室からバルコニーを見た際の開放感が大きい。
【先行技術文献】
【特許文献】
【０００７】
【特許文献１】実用新案登録第３１１６４４１号公報
【考案の概要】
【考案が解決しようとする課題】
【０００８】
ここで上記特許文献１に開示されているバルコニーの場合、居住室とバルコニーとの境界には折り戸が設けられているが、折り戸の両端には柱が設けられており、折り戸はいわばこの２本の柱の間で開閉することになる。開放感を確保するために、折り戸を採用し、例えば、これらの２本の柱をなくして梁だけで支える構造とすると、柱の間を通る梁の天地方向の厚みを厚くする必要がある。
【０００９】
但し、梁が厚くなると居住室とバルコニーとの境界における天地方向の高さは低くなってしまい、十分な開放感を享受できない。
【００１０】
また、上記特許文献１におけるリビングバルコニーでは、バルコニーを支える梁は、バルコニーが居住室との境界から外部に突き出した先端部分に設けられている。また、当該梁を支えるための柱もバルコニーの先端部分に設けられている。このような構造の場合、居住室からバルコニーを見た場合、視線の先に当該梁と柱があり視界の一部を遮ってしまうため、開放感に欠ける。
【００１１】
一方、この梁を例えば、バルコニーを下から支えるように設けるのではなく、バルコニーの床上に設けてバルコニーを支える構造とすることも可能であるが、居住室からバルコニーを見た際の視界を一部遮ることには変わりない。
【００１２】
本考案は上記課題を解決するためになされたものであり、本考案の目的は、広いバルコニーが設けられた場合であっても採光性を損なわず、十分な開放感を持つリビングバルコニーを提供することにある。
【課題を解決するための手段】
【００１３】
上記課題を解決するために、請求項１に記載の考案に係るリビングバルコニーは、バルコニーと、梁と、を備える。バルコニーは、居住室の外側面の一部に隣接して配設される。梁は、バルコニーを支持する。また、梁は、バルコニーの一端であって居住室の外側面の一部とバルコニーとの境界部分と、バルコニーの他端であってバルコニーが外部に突き出した先端部分との間に設けられている。
【００１４】
また、上記課題を解決するために、請求項２に記載の考案に係るリビングバルコニーでは、梁は、バルコニーの一端と他端をつなぐ両側縁に接し、両側縁と直交する方向に設けられている。
【００１５】
さらに、上記課題を解決するために、請求項３に記載の考案に係るリビングバルコニーには、外側面の他の部分と側縁の一方に隣接する位置には上下階に貫通して設けられた吹き抜け部が設けられており、一方の側縁の一部であって、吹き抜け部を挟んで隣の住戸と対向する位置に配置される側縁は、不透明な素材で構成されている。
【００１６】
上記課題を解決するために、請求項４に記載の考案に係るリビングバルコニーにおいて、不透明な素材で構成されている側縁は、境界部分から梁と連結して設けられている上下階を貫通して設けられる柱までの間に設けられている。
【００１７】
また、上記課題を解決するために、請求項５に記載の考案に係るリビングバルコニーにおいて、バルコニーの床面は、居住室の床面と同程度の高さとなるように構成され、居住室の床面から連続して設けられている。
【００１８】
さらに、上記課題を解決するために、請求項６に記載の考案に係るリビングバルコニーにおいて、境界部分には、折りたたみ自在な仕切戸が設けられている。
【００１９】
また、上記課題を解決するために、請求項７に記載の考案に係るリビングバルコニーにおいて、バルコニーには、居住室に起居する居住者が使用することができるスロップシンクが備えられている。
【００２０】
また、上記課題を解決するために、請求項８に記載の考案に係るリビングバルコニーにおいて、バルコニーには、燈火類が設けられている。
【００２１】
また、上記課題を解決するために、請求項９に記載の考案に係るリビングバルコニーにおいて、バルコニーには、防水コンセントが設けられている。
【考案の効果】
【００２２】
請求項１に記載の考案によれば、リビングバルコニーは、バルコニーと当該バルコニーを支持する梁を備えている。また、当該梁は、バルコニーの一端であって外側面の一部とバルコニーとの境界部分と、バルコニーの他端であってバルコニーが外部に突き出した先端部分との間に設けられている。そのため、リビングからバルコニーを見た際に、視界に梁が入り込みにくく、開放感に優れた場所としてリビングバルコニーを有効に利用することができる。また、梁を支持する柱も境界部分と先端部分との間に設けられることから、リビングバルコニーにおける採光性が損なわれない。
【００２３】
請求項２に記載の考案によれば、梁は、バルコニーの一端と他端をつなぐ両側縁に接し、両側縁と直交する方向に設けられている。そのため、リビングからバルコニーを見た際に、たとえ視界に梁が入ったとしても上階のリビングバルコニーの下面と一体となって認識することができるため、開放感が損なわれることはない。
【００２４】
請求項３に記載の考案によれば、外側面の他の部分と側縁の一方に隣接する位置には上下階に貫通して設けられた吹き抜け部が設けられており、一方の側縁の一部であって、吹き抜け部を挟んで隣の住戸と対向する位置に配置される側縁は、不透明な素材で構成されている。そのため、十分な開放感を得ながらも、隣の住戸との間におけるプライバシーを確保することができる。
【００２５】
請求項４に記載の考案によれば、不透明な素材で構成されている側縁は、境界部分から梁と連結して設けられている上下階を貫通して設けられる柱までの間に設けられている。そのため、開放感とプライバシーの確保という、互いに相反する要求にバランス良く対応することができる。
【００２６】
請求項５に記載の考案によれば、バルコニーの床面は、居住室の床面と同程度の高さとなるように構成され、居住室の床面から連続して設けられている。そのため、リビングバルコニーの開放感を得つつ、さらに居住室とリビングバルコニーとの間を円滑に行き来することができる。
【００２７】
請求項６に記載の考案によれば、居住室とリビングバルコニーとの境界部分には、折りたたみ自在な仕切戸が設けられている。そのため、開放感に優れ、しかも居住室への採光性を損なわない。
【００２８】
請求項７ないし請求項９に記載の考案によれば、リビングバルコニーには、居住者等が使用することができるスロップシンク、燈火類、防水コンセントといった設備が設けられる。これらの設備が設けられていることによって、リビングバルコニーをより有効に利用することができる。
【図面の簡単な説明】
【００２９】
【図１】実施の形態におけるリビングバルコニーの構造を、住宅を上下階の方向（天地方向）に切断して示す断面図である。
【図２】実施の形態におけるリビングバルコニーを含む住戸の構成の一部を断面にして示す断面図である。
【図３】実施の形態におけるリビングバルコニーを示す斜視図である。
【考案を実施するための形態】
【００３０】
以下、実施の形態について図面を参照して詳細に説明する。
【００３１】
図１は、実施の形態におけるリビングバルコニーＬの構造を、住宅１を上下階の方向（天地方向）に切断して示す断面図である。なお、以下では、住宅１の一例として、集合住宅を例に挙げて説明する。但し、本考案の実施の形態に示すリビングバルコニーＬについては、集合住宅だけではなく、戸建ての住宅に適用することを妨げるものではない。
【００３２】
なお、図１では、住戸２Ａないし２Ｅそれぞれに設けられているリビングバルコニーＬをそれぞれリビングバルコニーＬＡないしリビングバルコニーＬＥとして表している。但し、これらリビングバルコニーＬＡないしリビングバルコニーＬＥをまとめて説明する場合には、以下まとめて「リビングバルコニーＬ」と表す。
【００３３】
図１に示すように、住宅１は、例えば５階にわたって住戸部分（以下、単に「住戸」と表す。）が設けられている多層建の集合住宅である。図１では、１階から５階までの各住戸２をそれぞれ符号２Ａないし符号２Ｅで表している。但し、以下の説明においては、これら各階の住戸２Ａないし住戸２Ｅを適宜まとめて「住戸２」と表す。
【００３４】
また、住戸２は、居住室２０とリビングバルコニーＬを備えている。そして、リビングバルコニーＬは、バルコニー３と梁４とから構成されている。
【００３５】
実施の形態におけるリビングバルコニーＬを含む住戸２の構成の一部を断面にして示す断面図である。図２では、例えば、２階にある住戸２のうち、隣り合う２つの住戸２が示されている。このようにここでは２階における２つの住戸２のみが示されているが、実際にはそれぞれの住宅１の各階ごとに複数の住戸が設けられている。
【００３６】
図２に示す住戸２Ｂ１及び住戸２Ｂ２は、構造（間取り）が若干異なるが、いずれも居住室２０とリビングバルコニーＬを備えている点では同じである。そしてこれら図２に示す住戸２Ｂ１及び住戸２Ｂ２において、同じ間取りに対しては同じ符号を付して説明する。
【００３７】
まず、図２に示す通り、居住室２０は、リビングバルコニーＬから玄関２１に向けて、リビングダイニング２２と、キッチン２３と、リビングダイニング２２に向けてキッチン２３に立った時に、その右側に設けられる洗面室２４と、浴室２５と、トイレ２６とを備える。さらに、図２に示す間取りの場合、リビングダイニング２２横の第１の居室２７と、玄関２１を挟んで両側に設けられている第２の居室２８と第３の居室２９とを備える。
【００３８】
なお、住戸２の間取りについては、居住室２０から一体感をもってリビングバルコニーＬが設けられるのであれば、図２に示す間取りに限定されるものではない。
【００３９】
次に、図１及び図２に示されているように、居住室２０から外側に張り出すようにリビングバルコニーＬが設けられている。リビングバルコニーＬは、バルコニー３と当該バルコニー３を支持する梁４を備えている。
【００４０】
バルコニー３は、居住室２０の外側面の一部に隣接して設けられる。バルコニー３は、床面３０と、境界部分３１と、先端部分３２と、境界部分３１と先端部分３２とをつなぐ第１の側縁３３及び第２の側縁３４とを備えている。その他、バルコニー３には、リビングバルコニーＬでより快適に過ごすことができるように、スロップシンク３５と、燈火類３６と、防水コンセント３７が備えられている。また、床面３０には避難ハッチ３８も設けられている。
【００４１】
ここで、境界部分３１は、バルコニー３の一端であって居住室２０の外側面の一部とバルコニー３との境界となる部分である。また、先端部分３２は、バルコニー３の他端であってバルコニー３が外部に突き出した先端部を構成している。
【００４２】
さらに図１及び図２に示されているように、梁４は、バルコニー３を支持している。そして梁４自体は、柱５に連結されることによって支持されている。
【００４３】
なお、図２に示されているように、本考案の実施の形態においては、柱５は、バルコニー３の片側の側縁部分にのみ設けられている。これは開放感をより高めるためであるが、バルコニー３の両側の側縁部分に柱５が設けられていても良い。
【００４４】
梁４は、バルコニー３の境界部分３１と先端部分３２との間に設けられている。これは、上述したように、バルコニー３を支持する梁４が先端部分３２の位置に設けられていると、居住室２０からバルコニー３を見た場合に、どうしても視界に梁４が入ってしまい開放感を損ねることになるからである。
【００４５】
そこで、本考案の実施の形態においては、梁４の位置を先端部分３２よりも居住室２０側に近づけて配置することによって、居住室２０からバルコニー３を見た場合に梁４の存在をより感じさせないようにしている。このような位置に梁４を配置することによって十分な開放感を得ることができる。
【００４６】
なお、梁４の具体的な位置については、バルコニー３を支持することができることを前提として、バルコニー３の境界部分３１と先端部分３２との間に設けられていれば、特にその位置について限定されない。
【００４７】
さらに、本考案の実施の形態においては、梁４は、バルコニー３を下から支持している。この構造も開放感を高めるものである。確かにバルコニー３を下から支持する構造とすると、居住室２０からバルコニー３を見た場合に上階のバルコニー３を支持する梁４が目に入ってしまう。但し上述したように、先端部分３２の位置ではなく、より居住室２０に近づけて境界部分３１と先端部分３２との間に梁４を設けたことで、バルコニー３を下から梁４で支持しても開放感を損ねることはない。
【００４８】
次に、バルコニー３の各構成について、以下説明する。
【００４９】
まずバルコニー３の床面３０は、居住室２０の床面と同程度の高さとなるように構成され、居住室２０の床面から連続するように設けられている。
【００５０】
すなわち、図２にも示されているように、バルコニー３の床面３０は、実際の床面よりもかさ上げされることによって、居住室２０の床面と同程度の高さとし、当該居住室２０の床面３０とが概ね面一となるようにしている。床面３０をこのように施工することで、居住者は居住室２０内とリビングバルコニーＬとの間を円滑に行き来することができる。
【００５１】
このように本考案の実施の形態でのリビングバルコニーＬ（バルコニー３）の床面３０と居住室２０の床面とは、同程度の高さ、概ね面一となるようにされている。すなわち、このような構造を採用することによって、例えば、居住者がバルコニー３と居住室２０、例えば後述するリビングダイニングとを行き来する際に、安全かつ障害となることなく、しかも雨水等の吹き込みを防止できる。もちろん、バルコニー３の床面３０と居住室２０の床面との間に段差がなく、完全な面一になっている場合を除くものではない。従って、このバルコニー３と居住室２０とが面一になっている場合もこの考案に言う「バルコニーの床面が居住室の床面と同程度の高さとなるように構成され」に含まれる。
【００５２】
また、バルコニー３の構造やバルコニー３、床面３０等を構成する材料については、どのような構造、材料も採用することができる。例えば、雨が降ってもバルコニー３に雨水が溜まらない材料や濡れても乾きやすい材料を用いることができる。
【００５３】
また、図１に示されているように、床面３０自体は水平に構築されているが、雨天の際に、床面３０の表面から下に落ちた雨水が適切に流れるように、床面３０が設置されているバルコニー３の床には勾配が設けられている。
【００５４】
バルコニー３には、境界部分３１と先端部分３２との間をつなぐ第１の側縁３３と第２の側縁３４とが設けられている。これら側縁はバルコニー３の周囲を覆う壁の役割を果たすとともに、例えば手すりの役割も担っている。
【００５５】
なお、本考案の実施の形態においては、図２に示されているように、居住室２０の外側面の他の部分、すなわち、居住室２０の外側面のうちリビングバルコニーＬが設けられていない部分には、物置部６が設けられている。当該物置部６は、例えば居住室２０内で使用されるエアコンの室外機等が設置されるスペースとして使用されるものである。
【００５６】
そして、居住室２０の外側面の他の部分、すなわち、物置部６が設けられている部分であって側縁の一方に隣接する位置には上下階に貫通して設けられた吹き抜け部７が設けられている。このような吹き抜け部７が設けられているため、採光性、通気性に優れるとともに、リビングバルコニーＬにおける開放性にも寄与する。
【００５７】
そして、バルコニー３における先端部分３２、第１の側縁３３及び第２の側縁３４は、ガラス等の透明度の高い素材で構成することも可能である。このような素材を使用することによって、居住室２０からバルコニー３を見た場合に、視界が遮られることがないためより高い開放感を得ることができる。なお、素材自体は、開放感を損なわない程度の透明度が確保されていれば、ガラスに限られずその他の素材であっても良い。
【００５８】
また、本考案の実施の形態におけるリビングバルコニーＬの両側縁の部分には、上述した吹き抜け部７が設けられていることから、リビングバルコニーＬの側縁部において隣の住戸２におけるリビングバルコニーＬと接することがない。そのため、リビングバルコニーＬにおける、境界部分３１を除く、先端部分３２、第１の側縁３３及び第２の側縁３４の三方が開けた状態となるので、より高い開放感を得ることができる。
【００５９】
このようにリビングバルコニーＬの境界部分３１以外の三方を透明度の高い素材を用いて構成することも可能であるが、側縁の一部を不透明な素材を用いて構成することも可能である。例えば、本考案の実施の形態では、一方の側縁の一部であって、吹き抜け部７を挟んで隣の住戸２と対向する位置に配置される側縁の素材を不透明な素材で構成している。
【００６０】
具体的には、図２を用いて説明する。すなわち図２の住戸２Ｂ１におけるリビングバルコニーＬを例に取ると、第２の側縁３４の一部であって、吹き抜け部７を挟んで隣の住戸２Ｂ２と対向する位置に配置される側縁３４１の素材を不透明な素材で構成する。
【００６１】
このような不透明な素材で側縁の一部を構成するのは、隣の住戸２との間でプライバシーを確保するためである。上述したように、境界部分３１を除く三方を透明度の高い素材で構成することで開放感は高くなるが、換言すればリビングバルコニーＬにおいて隠れる部分がなく周囲からの視線を遮ることができないということである。
【００６２】
特にリビングバルコニーＬの位置において隣の住戸２との間では吹き抜け部７の距離しか離れておらず、一部でも視線が遮られるスペースが確保されることは、プライバシー保護の観点からも必要である。そこで、側縁の一部を不透明な素材で構成することで開放感を確保しつつ、プライバシー保護にも留意することができる。
【００６３】
なお、不透明な素材で構成される側縁の範囲は任意に設定することができるが、例えば、境界部分３１から梁４と連結して設けられている上下階を貫通して設けられる柱５までの間に設けられることとしても良い。
【００６４】
居住室２０とバルコニー３との境界部分３１には、仕切戸８が設置されており、居住室２０の内外を区切っている。この仕切戸８は、図２に二重破線で示すようにその中央部が開放されるように折りたたみが自在な折り戸として構成されている。このため、この仕切戸８を開いた場合には、この仕切戸８が中央部分にとどまったり、引き戸のように左右いずれかに戸が残ることがないので、居住室２０の内外が連通される。
【００６５】
図２に示すように、仕切戸８を開くとリビングバルコニーＬと居住室２０との境界部分３１の中央部が大きく開口し、しかもリビングバルコニーＬの高さが居住室２０の床の高さと同程度の高さに揃えられていことから、より大きな開放感を得ることができる。
【００６６】
このため、リビングバルコニーＬが設けられていることとも相まって高い開放感が得られる。なお図３では、当該仕切戸８が閉まった状態を実線で示し、開いた状態を二重破線で示している。
【００６７】
また、図１、或いは、図２に示されているように、バルコニー３には、スロップシンク３５、燈火類３６、防水コンセント３７、避難ハッチ３８といった設備が設けられていても良い。これらの付帯設備は、住戸２の住人が任意に選定し取り付けることができるものであり、これらの付帯設備が設けられていることで、リビングバルコニーＬをより有効に利用することができる。
【００６８】
なお、これらの付帯設備の設置場所については、図１、或いは、図２に示されている場所に設けられるのではなく、リビングバルコニーＬのいずれの場所に設けられても良い。また、付帯設備としては、スロップシンク３５、燈火類３６、防水コンセント３７、避難ハッチ３８のみならず、その他の設備であっても良い。
【００６９】
以上、バルコニー３の各構成について説明した。但し、バルコニー３の構成は上述した構成に限定されず、また、各構成の組み合わせも自由である。
【００７０】
図３は、実施の形態におけるリビングバルコニーＬを示す斜視図である。なお、図１及び図３に示す柱５の位置と図２に示す柱５の位置は一致していない。これは、本考案の実施の形態に係る考案の説明をより適切に行うためである。
【００７１】
図３に示すように、リビングバルコニーＬにおける梁４の位置は、バルコニー３における先端部分３２の位置ではなく、境界部分３１と先端部分３２との間に設けられている。また、境界部分３１を除く三方は、一部不透明な素材で構成されるものの、その他の部分は透明な素材で構成されており、隣の住戸２との間には吹き抜け部７が設けられている。
【００７２】
さらには、仕切戸８を開くことによって、居住室２０とリビングバルコニーＬとが一体感をもってつながることになる。そのため、リビングバルコニーＬにおける開放感は非常に高いものとなる。
【００７３】
以上説明した少なくとも１つの実施の形態によれば、採光性を損なわず、開放感に優れた場所として屋外専用スペースを有効に利用することができる住宅を提供することができる。
【００７４】
なお、建築基準法の容積対象面積に含まれない例として、例えば、４ｍ×４ｍ角の面積を確保できることを説明した。但し当該例示に限定されず、手すりの芯と芯との間は４ｍである必要があるが、居住室とバルコニーとの境からの長さ（奥行き）については、４ｍでなくても、例えば、２ｍでも８ｍでも良い。そしてこれらの場合であっても、梁は、バルコニーの一端であって外側面の一部とバルコニーとの境界部分と、バルコニーの他端であってバルコニーが外部に突き出した先端部分との間に設けられる。
【００７５】
本考案のいくつかの実施の形態を説明したが、これらの実施の形態は、例として提示したものであり、考案の範囲を限定することは意図していない。これらの実施の形態は、その他の様々な形態で実施されることが可能であり、考案の要旨を逸脱しない範囲で、種々の省略、置き換え、変更を行うことができる。これらの実施の形態やその変形は、考案の範囲や要旨に含まれると同様に、実用新案登録請求の範囲に記載された考案とその均等の範囲に含まれる。
【符号の説明】
【００７６】
１      住宅
２      住戸
３      バルコニー
４      梁
５      柱
６      物置部
７      吹き抜け部
８      仕切戸
２０    居住室
２１    玄関
２２    リビングダイニング
２３    キッチン
２４    洗面室
２５    浴室
２６    トイレ
２７    第１の居室
２８    第２の居室
２９    第３の居室
３０    床面
３１    境界部分
３２    先端部分
３３    第１の側縁
３４    第２の側縁
３５    スロップシンク
３６    燈火類
３７    防水コンセント
３８    避難ハッチ
【図１】
0003226516.tif 000003
【図２】
0003226516.tif 000004
【図３】
0003226516.tif 000005